【手続補正書】
【提出日】平成20年3月19日(2008.3.19)
【手続補正１】
【補正対象書類名】明細書
【補正対象項目名】特許請求の範囲
【補正方法】変更
【補正の内容】
【特許請求の範囲】
【請求項１】  それぞれの端末機器ユニット端子端を有する複数のデジタルおよびアナログ端末機器ユニットと、デジタルＰＢＸ端子端およびアナログＰＢＸ端子端を有する、構内交換機（ＰＢＸ）と、ＵＰＮプロトコルデジタル信号およびアナログ電話信号を伝送するためにデジタルおよびアナログ端末機器ユニット端子端を前記デジタルＰＢＸ端子端および前記アナログＰＢＸ端子端に接続するよう構成された、複数の２線バスとを有する、顧客構内電話ネットワークにおいて、ローカルエリアネットワークを実現する方法であって、前記方法は、
各々が前記ＵＰＮプロトコルデジタル信号を通過させかつローカルエリアネットワーク信号を排除するよう構成されたローパスフィルタを、各デジタルＰＢＸ端子端と、対応する２線バスの各デジタル端末機器端子端とに接続するステップを含み、各２線バスは、対応するデジタルＰＢＸ端子端に接続され、対応する２つの接続された前記ローパスフィルタ間に第１のノードを有し、前記方法はさらに、
前記ローカルエリアネットワーク信号を通過させかつ前記ＵＰＮプロトコルデジタル信号を排除するよう構成された第１のハイパスフィルタを、対応する前記デジタルＰＢＸ端子端に接続された前記２線バスのうち各々のバスの対応する前記第１のノードにわたり、接続するステップと、
前記ローカルエリアネットワーク信号を通過させかつ前記アナログ電話信号を排除するよう構成された第２のハイパスフィルタを、前記第１のハイパスフィルタと、前記アナログＰＢＸ端子端のうち１つに接続された前記２線バスのうち少なくとも１本との間に、接続するステップと、
対応する前記第１のノードで前記デジタルＰＢＸ端子端に結合された前記２線バスの１本の上の第１のネットワークノードから、前記アナログＰＢＸ端子端のうち１つに接続された前記２線バスのうち別のバスに結合された第２のネットワークノードに、前記ローカルエリアネットワーク信号を伝送するステップとを含む、方法。
【請求項２】  ローパスフィルタを接続する前記ステップは、各ローパスフィルタの−３ｄＢの遮断周波数を約２ＭＨｚまでの周波数に設定するステップを含む、請求項１に記載の方法。
【請求項３】  前記第１および第２のハイパスフィルタを接続する前記ステップは、前記ローカルエリアネットワーク信号を通過させかつ前記ＵＰＮプロトコルデジタル信号を排除するために、前記第１および第２のハイパスフィルタの−３ｄＢ遮断周波数を少な
くとも約２ＭＨｚの周波数に設定するステップを各々含む、請求項２に記載の方法。
【請求項４】  前記伝送ステップは、前記第１のネットワークノードから、前記第２のネットワークノードまで、約１００ｍの距離にわたり、前記ローカルエリアネットワーク信号を伝送するステップを含む、請求項３に記載の方法。
【請求項５】  それぞれのアナログＰＢＸ端子端に接続された２本の２線バス間に別の第１のハイパスフィルタを接続するステップをさらに含む、請求項１に記載の方法。
【請求項６】  前記第１のハイパスフィルタを接続する前記ステップは、
第１に、第１および第２の接続キャパシタの第１の端部を、対応するデジタルＰＢＸ端子端のための対応する２線バスのそれぞれの第１および第２の線に結合するステップと、
第２に、第１および第２のフィルタノードをそれぞれ形成するために前記第１および第２のキャパシタの第２の端部を、インダクタのそれぞれの端子端に結合するステップと、
対応するデジタルＰＢＸ端子端のための各々の対応する２線バスにつき前記第１および第２の結合ステップを繰返すステップとを含む、請求項５に記載の方法。
【請求項７】  前記第２のハイパスフィルタを接続する前記ステップは、
前記第２のハイパスフィルタの第１の端部を、前記第１および第２のフィルタノードの前記それぞれの端子端に接続するステップと、
前記ハイパスフィルタの第２の端部を前記別の第１のハイパスフィルタにあるインダクタのそれぞれの端部に接続するステップとを含む、請求項６に記載の方法。
【請求項８】  前記ローパスフィルタを接続する前記ステップと、前記第１および第２のハイパスフィルタを接続する前記ステップとは、前記ＰＢＸおよび前記端末機器ユニットにより誘起され、対応する前記２線バス上の前記ローカルエリアネットワーク信号により遭遇される、容量性の影響を最小限にするように、対応する前記フィルタを構成するステップをそれぞれ含む、請求項６に記載の方法。
【請求項９】  コンピュータネットワークであって、
ＵＰＮプロトコルデジタル電話信号を送受信するよう構成されたデジタルＰＢＸ端子端、およびアナログ電話信号を送受信するよう構成されたアナログＰＢＸ端子端を有する、構内交換機（ＰＢＸ）と、
前記ＵＰＮプロトコルデジタル電話信号を送受信するよう構成されたデジタル端末機器ユニットと、
前記アナログ電話信号を送受信するよう構成されたアナログ端末機器ユニットと、
前記デジタル端末機器ユニットおよび前記アナログ端末機器ユニットを、それぞれ前記デジタルＰＢＸ端子端および前記アナログＰＢＸ端子端に接続するよう構成された複数の２線バスと、
前記ＵＰＮプロトコルデジタル電話信号を通過させかつコンピュータネットワーク信号を排除するよう構成され、前記デジタル端末機器ユニットおよび前記デジタルＰＢＸ端子端を接続する前記２線バスの各々の端部に結合された、ローパスフィルタと、
前記２線バスのいずれか１本に接続されたネットワークノード間で前記コンピュータネットワーク信号を通過させるために、前記２線バスを相互接続するよう構成された、ハイパスフィルタとを含む、コンピュータネットワーク。
【請求項１０】  前記ローパスフィルタおよび前記ハイパスフィルタの各々は、前記ＰＢＸおよび前記端末機器ユニットにより誘起され対応する前記２線バス上の前記ローカルエリアネットワーク信号により遭遇される容量性の影響を、最小限にするよう構成される、請求項９に記載のコンピュータネットワーク。
【請求項１１】  前記２線バスは、前記ネットワークノードのいずれの間においても約１００ｍまでの最大距離をもたらすように、前記ＰＢＸとともに構成される、請求項１０に記載のコンピュータネットワーク。
【請求項１２】  各ローパスフィルタは、約２ＭＨｚまでの−３ｄＢの遮断周波数となるように、対称に構成される、請求項９に記載のコンピュータネットワーク。
【請求項１３】  前記ハイパスフィルタは、前記ＵＰＮプロトコルデジタル電話信号を排除するために少なくとも約２ＭＨｚでの−３ｄＢの遮断周波数となるように、対称に
構成される、請求項１２に記載のコンピュータネットワーク。
【請求項１４】  前記ハイパスフィルタは、
ハイパスフィルタの第１の組を含み、前記第１の組は、（１）第１および第２のインダクタ端子端を有する第１のインダクタと、（２）対応するデジタルＰＢＸ端子端のための各２線バスのための第１および第２の接続キャパシタとを有し、前記第１および第２の接続キャパシタは、対応する前記２線バスの第１および第２の線をそれぞれ前記第１および第２のインダクタ端子端に接続するよう構成され、前記ハイパスフィルタはさらに
ハイパスフィルタの第２の組を含み、前記第２の組は、（１）第３および第４のインダクタ端子端を有する第２のインダクタと、（２）対応するアナログＰＢＸ端子端のための各２線バスのための第３および第４の接続キャパシタとを有し、前記第３および第４の接続キャパシタは、対応する前記２線バスの第１および第２の線を、それぞれ前記第３および第４のインダクタ端子端に接続するよう構成され、前記ハイパスフィルタはさらに
第３のハイパスフィルタを含み、前記第３のハイパスフィルタは、前記第１および第２のインダクタ端子端に接続された第１のフィルタ端子端と、前記第３および第４のインダクタ端子端に接続された第２のフィルタ端子端とを有する、請求項９に記載のコンピュータネットワーク。